(57)【要約】【課題】  撮像部の撮像角度を左右方向にも容易に調整できる電子機器を提供する。る。【解決手段】  テレビ電話１は、撮像部１０によって撮像された画像を表示する画像表示部１１を設けた表示面３を有する筐体２を備え、撮像部１０の撮像角度を調整する撮像角度調整機構７を筐体１０に設け、撮像角度調整機構７は、撮像部１０を保持し、筐体２の底面４と所定角度をなす縦方向の周りに回動可能な撮像部ホルダ９と、撮像部ホルダ９を保持し、筐体２の底面４と表示面３とに平行な横方向の周りに回動可能なチルトアングル部材８とを有する。【選択図】  図１
2007081834.tif 000002
【特許請求の範囲】
【請求項１】
撮像部によって撮像された画像を表示する画像表示部を設けた表示面を有する筐体を備え、前記撮像部の撮像角度を調整する撮像角度調整機構を前記筐体に設けた電子機器において、
前記撮像角度調整機構は、前記撮像部を保持し、前記筐体の底面と所定角度をなす縦方向の周りに回動可能な撮像部ホルダと、
前記撮像部ホルダを保持し、前記筐体の底面と表示面とに平行な横方向の周りに回動可能なチルトアングル部材とを有することを特徴とする電子機器。
【請求項２】
前記表示面は、前記筐体前方の斜め上方向に向くように傾斜している請求項１記載の電子機器。
【請求項３】
前記撮像部の光軸の初期方向は、前記筐体前方の斜め上方向に設定されており、
前記撮像部が前記初期方向から前記縦方向の周りに約１８０度回動したときに、前記撮像部の光軸が前記筐体の底面と平行な方向を向くように、前記縦方向は、前記筐体の底面と所定角度をなして傾斜している請求項２記載の電子機器。
【請求項４】
前記筐体は、前記表示面の反対側に形成した背面を有し、
前記背面が下向きになる横置き状態を検出する横置き検出手段と、
前記横置き検出手段による検出結果に応じて、前記画像表示部に表示される画像の上下左右を反転させる表示反転コントローラとをさらに備える請求項１記載の電子機器。
【請求項５】
前記筐体は、前記表示面の反対側に形成した背面を有し、
前記背面に設けられた取っ手をさらに備え、
前記取っ手は、前記背面が下向きになる横置き状態を検出する横置き検出スイッチとして動作する請求項１記載の電子機器。
【請求項６】
前記取っ手は、前記背面に形成した凹部から前記底面側への斜め方向に向かって一部突出する開位置と、前記背面に沿って前記凹部内に収容される閉位置との間で回動可能に設けられ、前記閉位置から前記開位置への方向に向かって弾性部材により付勢されている請求項５記載の電子機器。
【請求項７】
前記画像表示部に表示される画像の上下左右を反転させる表示反転コントローラと、
前記表示反転コントローラを動作させるための手動スイッチとをさらに備える請求項１記載の電子機器。
【請求項８】
前記撮像角度調整機構は、前記筐体の表示面に形成された保持穴に設けられる請求項１記載の電子機器。
【請求項９】
前記筐体は、前記表示面の反対側に形成した背面を有し、
前記保持穴は、前記表示面から前記背面に貫通して形成されている請求項８記載の電子機器。
【請求項１０】
前記画像表示部には、相手側テレビ電話から受信した画像が表示され、
前記画像に同期した音声を出力するスピーカと、
相手側テレビ電話に送信するための音声を入力するマイクユニットとをさらに備え、
前記撮像部によって撮像された画像を相手側テレビ電話に送信してテレビ電話として動作する請求項１記載の電子機器。
【請求項１１】
前記画像及び音声を無線により送受信する通信部と、
前記撮像部、画像表示部、スピーカ及びマイクユニットを駆動するバッテリとをさらに備える請求項１０記載の電子機器。
【発明の詳細な説明】
【技術分野】
【０００１】
本発明は、撮像部によって撮像された画像を表示する画像表示部を設けた筐体を備えた電子機器に関し、特に、撮像部の撮像角度を調整する撮像角度調整機構を筐体に設けた電子機器に関する。
【背景技術】
【０００２】
従来の一般的なテレビ電話は、ダイヤルボタンと表示部とが平面状に構成され、表示部がチルト機構で角度調整できる様な通常の電話型であり、本発明の形態と差異が大きいため、デジタルカメラ等の撮像装置を例として説明する。従来の撮像装置には、撮像部の撮像角度を調整する撮像角度調整機構が設けられている（例えば特許文献１及び特許文献２参照）。
【０００３】
図１０は、従来技術を示すものであり、撮像装置９０の外観を模式的に示す斜視図である。この撮像装置９０は、撮像部９３と表示部９２と図示しない画像処理部とが一体に組み込まれた筐体９１を備える。筐体９１は略直方体型に形成され、表示部９２は筐体９１の一側面に設けられており、撮像部９３は、筐体９１の上側において、水平な回動軸９４の周りに矢印９５に示す方向に沿って回動可能に支持されている。このように、撮像装置９０では、撮像部９３を回動操作しながら撮像角度を調整することができる。
【特許文献１】特許第３２２８２９０号明細書（平成１３年１１月９日公開）
【特許文献２】特許第３４５８８４２号明細書（平成１３年９月２１日公開）
【発明の開示】
【発明が解決しようとする課題】
【０００４】
しかしながら、上記従来の構成では、撮像部９３の撮像角度を調整するための回動軸が、回動軸９４の一軸のみであり、撮像角度を調整できる方向は前後方向／上下方向のみであるために、左右方向に撮像部９３の撮像角度を調整しようとすると、撮像装置９０全体を動かす必要があり、操作が容易ではないという問題を生じる。
【０００５】
本発明は、上記の問題点に鑑みてなされたものであり、その目的は、撮像部の撮像角度を左右方向にも容易に調整できる電子機器を実現することにある。
【課題を解決するための手段】
【０００６】
本発明の電子機器は、上記課題を解決するために、撮像部によって撮像された画像を表示する画像表示部を設けた表示面を有する筐体を備え、前記撮像部の撮像角度を調整する撮像角度調整機構を前記筐体に設けた電子機器において、前記撮像角度調整機構は、前記撮像部を保持し、前記筐体の底面と所定角度をなす縦方向の周りに回動可能な撮像部ホルダと、前記撮像部ホルダを保持し、前記筐体の底面と表示面とに平行な横方向の周りに回動可能なチルトアングル部材とを有することを特徴とする。
【０００７】
この特徴によれば、チルトアングル部材を横方向の周りに回動させることによって、チルトアングル部材により保持される撮像部ホルダに保持された撮像部が横方向の周りに上下方向に回動し、また、撮像部ホルダを縦方向の周りに回動させることによって、撮像部ホルダに保持された撮像部が縦方向の周りに左右方向に回動する。従って、撮像部の上下方向の撮像角度のみならず、左右方向の撮像角度も筐体を移動させることなく容易に調整することができる。
【０００８】
本発明の電子機器では、前記表示面は、前記筐体前方の斜め上方向に向くように傾斜していることが好ましい。
【０００９】
上記構成によれば、表示面を筐体の底面に垂直に形成した場合のように、撮像部のみの角度を調整して撮影した内容を表示部で確認する際に、表示部への撮影者の目線を底面に平行にする必要がなく、表示部の視認性を向上させることができる。
【００１０】
本発明の電子機器では、前記撮像部の光軸の初期方向は、前記筐体前方の斜め上方向に設定されており、前記撮像部が前記初期方向から前記縦方向の周りに約１８０度回動したときに、前記撮像部の光軸が前記筐体の底面と平行な方向を向くように、前記縦方向は、前記筐体の底面と所定角度をなして傾斜していることが好ましい。
【００１１】
上記構成によれば、撮像部を初期位置から縦方向の周りに約１８０度回動させると、前記撮像部の光軸が筐体の底面と平行な方向を向いて電子機器の真後ろを撮像することができる。机に置いた筐体の表示面を見ながら椅子に座っている使用者が、その使用者に対面する筐体背面側を撮像しようとした場合に、１８０度回動した直後の撮像部の撮像方向が床を向いたり天井を向いたりしていると、瞬間的にはどの方向の領域を撮像しているかが認識し難い。１８０度回動した直後の撮像方向が筐体の底面と平行な方向であれば、撮像部の上下方向の撮像角度を調整する感覚がわかりやすい。
【００１２】
本発明の電子機器では、前記筐体は、前記表示面の反対側に形成した背面を有し、前記背面が下向きになる横置き状態を検出する横置き検出手段と、前記横置き検出手段による検出結果に応じて、前記画像表示部に表示される画像の上下左右を反転させる表示反転コントローラとをさらに備えることが好ましい。
【００１３】
上記構成によれば、横置き検出手段が、背面が下向きになる横置き状態を検出し、表示反転コントローラが、横置き検出手段による検出結果に応じて、画像表示部に表示される画像の上下左右を反転させるので、電子機器を横置き状態に倒したときに、表示画像を自動的に反転させることができる。このため、横置き状態において、傾斜した正面の画像表示部を底面の反対側から見るときに、上下左右反転した画像が表示されることを自動的に防止できる。
【００１４】
本発明の電子機器では、前記筐体は、前記表示面の反対側に形成した背面を有し、前記背面に設けられた取っ手をさらに備え、前記取っ手は、前記背面が下向きになる横置き状態を検出する横置き検出スイッチとして動作することが好ましい。
【００１５】
上記構成によれば、背面に設けられた取っ手が、背面が下向きになる横置き状態を検出する横置き検出スイッチとして動作する。従って、横置き検出スイッチを、電子機器を持ち運ぶための取っ手と兼用することができる。
【００１６】
本発明の電子機器では、前記取っ手は、前記背面に形成した凹部から前記底面側への斜め方向に向かって一部突出する開位置と、前記背面に沿って前記凹部内に収容される閉位置との間で回動可能に設けられ、前記閉位置から前記開位置への方向に向かって弾性部材により付勢されていることが好ましい。
【００１７】
上記構成によれば、背面に沿って凹部内に収容される閉位置から、凹部から底面側への斜め方向に向かって一部突出する開位置への方向に向かって弾性部材により付勢された取っ手が、開位置と閉位置との間で回動可能になる。従って、電子機器を横置き状態に倒すと、取っ手は開位置から閉位置へ回動して横置き検出スイッチとして動作する。その結果、簡単な構成により横置き検出スイッチを取っ手と兼用することができる。
【００１８】
本発明の電子機器では、前記画像表示部に表示される画像の上下左右を反転させる表示反転コントローラと、前記表示反転コントローラを動作させるための手動スイッチとをさらに備えることが好ましい。
【００１９】
上記構成によれば、電子機器を横置き状態に倒した状態のみならず、電子機器を手で持ち上げた状態においても画像表示部に表示される画像の上下左右を反転させることができる。
【００２０】
本発明の電子機器では、前記撮像角度調整機構は、前記筐体の表示面に形成された保持穴に設けられることが好ましい。
【００２１】
上記構成によれば、電子機器をコンパクトに構成することができる。
【００２２】
本発明の電子機器では、前記筐体は、前記表示面の反対側に形成した背面を有し、前記保持穴は、前記表示面から前記背面に貫通して形成されていることが好ましい。
【００２３】
上記構成によれば、筐体の保持穴が表示面から背面に貫通して形成されているので、保持穴内に配置された撮像部を初期位置から縦方向の周りに約１８０度回動させると、筐体背面側を撮像することができる。
【００２４】
本発明の電子機器では、前記画像表示部には、相手側テレビ電話から受信した画像が表示され、前記画像に同期した音声を出力するスピーカと、相手側テレビ電話に送信するための音声を入力するマイクユニットとをさらに備え、前記撮像部によって撮像された画像を相手側テレビ電話に送信してテレビ電話として動作することが好ましい。
【００２５】
上記構成によれば、通話者を撮像する撮像部の上下方向の撮像角度のみならず、左右方向の撮像角度も筐体を移動させることなく容易に調整することができるテレビ電話を提供することができる。
【００２６】
本発明の電子機器では、前記画像及び音声を無線により送受信する通信部と、前記撮像部、画像表示部、スピーカ及びマイクユニットを駆動するバッテリとをさらに備えることが好ましい。
【００２７】
上記構成によれば、無線通信手段とバッテリとを備えることにより、無線送受信電波の到達範囲内において電子機器を持ち運ぶことが可能となり、電子機器を使用する場所の自由度を広げることが可能となる。
【発明の効果】
【００２８】
本発明に係る電子機器は、以上のように、撮像部の撮像角度を調整する撮像角度調整機構が、撮像部を保持し、筐体の底面と所定角度をなす縦方向の周りに回動可能な撮像部ホルダと、撮像部ホルダを保持し、筐体の底面と表示面とに平行な横方向の周りに回動可能なチルトアングル部材とを備えているので、撮像部の撮像角度を左右方向にも容易に調整できる電子機器を提供できるという効果を奏する。
【発明を実施するための最良の形態】
【００２９】
本発明の一実施形態について図１ないし図９に基づいて説明すると以下の通りである。すなわち、図１は本発明の実施形態を示すものであり、テレビ電話１の外観を模式的に示す斜視図であり、図２はテレビ電話１の模式的な正面図である。図３は、テレビ電話１の撮像部１０の光軸方向を説明するための模式的な側面図である。
【００３０】
テレビ電話１は、底面４が上面よりも広い断面略台形状の筐体２を備えている。筐体２は、設置面２１に接する底面４を有している。筐体２の前側には、斜め上方へ向く様に傾斜した表示面３が形成されている。
【００３１】
表示面３の上側中央には、角穴状に形成された保持穴６が筐体２の背面５に貫通して形成されている。保持穴６の中には、撮像部１０の撮像角度を調整する撮像角度調整機構７が設けられている。
【００３２】
図４は、撮像角度調整機構７の構成を示す斜視図である。撮像角度調整機構７は、横長の直方体形状をしたチルトアングル部材８を有している。チルトアングル部材８の両端面には、筐体２の底面４と表示面３とに平行な横方向Ｊ２に沿って形成されて、保持穴６の内壁に形成された穴（図示せず）に嵌合する回転軸２４がそれぞれ設けられている。このようにチルトアングル部材８は、筐体２に対して横方向Ｊ２の周りに回動可能に保持されている。チルトアングル部材８は、上下方向にθ１＝約２０度ずつ角度を調整することができる。
【００３３】
チルトアングル部材８の正面中央には、断面略正方形状の保持穴２２がその背面に貫通して形成されている。保持穴２２の中には、略円柱形状をした撮像部ホルダ９が設けられている。撮像部ホルダ９の両端面には、筐体２の底面４と所定角度α（図５）をなす縦方向Ｊ１に沿って形成されてチルトアングル部材８の保持穴２２の内壁に形成された穴に嵌合する回動軸２３がそれぞれ設けられている。撮像部ホルダ９の内部には、撮像部１０が保持されている。このように、撮像部１０を保持する撮像部ホルダ９は、チルトアングル部材８の保持穴２２の中において、縦方向Ｊ１の周りにチルトアングル部材８に対して回動可能に設けられている。
【００３４】
撮像部ホルダ９は、保持穴２２の前後から指でつまんで縦方向Ｊ１の周りに回動させることができる。撮像部ホルダ９の外周面は、指に引っ掛かりやすくするために、微小の凹凸が形成されている。背面５が下向きになる横置き状態で使用する場合は、背面５側から指を挿入できないため、表示面３側のみから指で撮像部ホルダ９の外周面を押さえて回動させる。
【００３５】
チルトアングル部材８は、撮像部ホルダ９と同様に、基本的には保持穴２２の前後から指でつまんで回動させる。横置き状態でも、チルトアングル部材８の表面を指で押さえて回動させることができる。チルトアングル部材８の表面には、撮像部ホルダ９と同様に、指に引っ掛かりやすくするために、微小の凹凸が形成されている。
【００３６】
図３に示すように、撮像部１０の光軸の初期方向Ｊ３は、筐体前方の斜め上方向に設定されており、表示面３に垂直な方向になっている。
【００３７】
図５は、撮像角度調整機構７の動作を説明するための模式的な側面図である。縦方向Ｊ１は、表示面３と傾斜角度θをなし、設置面２１の垂線２５に対しても傾斜角度θをなしている。また、縦方向Ｊ１は、筐体２の底面４と所定角度αをなして傾斜している。
【００３８】
ここで、
α＝９０°−θ、
である。
【００３９】
このように縦方向Ｊ１を傾斜させた場合には、撮像部１０が初期方向Ｊ３から縦方向Ｊ１の周りに約１８０度回動すると、図５に示すように撮像部１０の光軸は筐体２の底面４と平行な水平方向を向く。このため、この状態で装置の真後ろを撮影することができる。
【００４０】
机の上に置いたテレビ電話１の画像表示部１１を見ながら椅子に座っている使用者が、テレビ電話１の背面側を撮像しようとした場合に、撮像部ホルダ９を縦方向Ｊ１の周りに１８０度の回動させた直後の撮像部１０の光軸は設置面２１と平行になるため、高さ調整時の感覚がわかり易い。１８０度回動した直後の撮像部の撮像方向が、初期方向Ｊ３と同じ方向であったり、背面５に垂直な方向であったりすると、床を向いたり天井を向いたりするので、瞬間的にはどの領域を撮像しているかを使用者は認識し難い。
【００４１】
撮像部２で撮影した画像を表示する画像表示部１１が、表示面３に設けられている。図１０に示すような従来の撮像装置においては、筐体がほぼ直方体形状であるので、装置を設置面に置いた状態で、表示部は設置面とほぼ垂直の面に設定される。このため、表示部の視認性が良好でなく、装置を設置面に置いた状態で撮像部のみを角度調整して撮影した場合に撮影内容を表示面で確認するためには、画像表示部と撮影者の目線とを平行にする必要があった（例えば、特許文献２  参照）。
【００４２】
表示面３は、筐体２の前方の斜め上方向に向くように傾斜しているため、画像表示部１１に表示される内容の視認性を良好に確保することができる。また、撮像部２により撮影した画像は、鏡面処理等の反転処理を施さない状態で画像表示部１１に表示される。
【００４３】
図６は、テレビ電話１の横置き状態での斜視図である。横置き状態では背面５が下向きになり、撮像部１０の裏面側は設置面２１となるため、背面５側を撮影することは不可能となる。横置き状態で撮像部１０により撮像されて画像表示部１１に表示される撮像画像は、上下反転処理を施す必要がなく、そのまま表示すれば、表示された画像の上下方向は、使用者から見た上下方向に一致する。画像表示部１１には、撮像部２で撮影した画像以外に、タッチパネル操作のためのカーソル２６、文字及びウェブ画面等のインターネット受信内容が表示される。
【００４４】
図７は、テレビ電話１の外観を示す背面斜視図である。背面５に形成された凹部１２には、取っ手１３が設けられている。この取っ手１３は、凹部１２から底面４側への斜め方向に向かって突出する開位置と、背面５に沿って凹部１２内に収容される閉位置との間で回動可能に軸支され、閉位置から開位置への方向に向かってバネ（図示せず）により付勢されている。図７には、開位置の状態が示されている。
【００４５】
底面４が下向きになる縦置き状態では、取っ手１３は、バネの付勢力により常に開位置で保持されている。背面５が下向きになる横置き状態では、取っ手１３は、設置面により押されてバネの付勢力に抗して矢印Ａ１の方向に回動する。取っ手１３が閉位置の状態まで回動すると、凹部１２内に設けられたセンサが閉位置の取っ手１３を検知して、後述する表示反転コントローラ１４が画像表示部１１の表示を自動的に反転させる構成となっている。更に、筐体２を設置面２１に設置せずに、手で持ち上げた状態でも上記表示内容の反転操作ができる様に、手動スイッチ１５が筐体２の側面に設けられている（図６）。
【００４６】
図８は、テレビ電話１の構成を示すブロック図である。テレビ電話１は、スピーカ１６とマイクユニット１７とを備えている。スピーカ１６とマイクユニット１７とは、筐体２の表示面３にそれぞれ設けられている。テレビ電話１には、表示反転コントローラ１４が設けられている。表示反転コントローラ１４は、横置き検出スイッチとして動作する取っ手１３の回動位置に応じて、画像表示部１１に表示される画像の上下左右を反転させる。テレビ電話１は、バッテリ１９を備えている。バッテリ１９は、充電式であり、テレビ電話１の動作に必要な電力を供給する。テレビ電話１には、メインコントローラ２７が設けられている。メインコントローラ２７は、テレビ電話１全体の動作を制御する。テレビ電話１は、通信部１８を備えている。通信部１８は、相手側テレビ電話から画像信号及び音声信号を受信し、撮像部１０により撮像された画像を現す画像信号とマイクユニット１７に入力された音声を表す音声信号とを相手側テレビ電話に送信する。
【００４７】
図９は、テレビ電話１の使用状態を示す斜視図である。充電式のバッテリ１９を装着したテレビ電話１に、無線ＬＡＮルータ２０との接続設定を行った無線ＬＡＮ用アンテナを設けることによって、無線送受信電波の到達範囲内でテレビ電話１を持ち運んで使用することが可能となる。このため、テレビ電話１の使用場所の自由度を広げることが可能となる。
【００４８】
以上のように本実施の形態によれば、テレビ電話を設置面に設置した状態で、テレビ電話を移動させることなく、表示面を視認性良く見ながら、撮像部の撮像角度を縦方向のみならず横方向にも容易に調整することができる。
【００４９】
従来では縦方向のみにしか撮像角度の調整ができず、テレビ電話を設置面に置いた状態での画像表示部の視認性も良好ではなかったが、本実施の形態によると、表示の視認性を確保した状態で、縦方向のみならず横方向にも撮像角度を調整することが可能となる。
【００５０】
なお、本実施の形態ではテレビ電話を例に挙げて説明したが、本発明はこれに限定されない。撮像部によって撮像された画像を表示する画像表示部を設けた筐体を備えた電子機器であって、撮像部の撮像角度を調整する撮像角度調整機構を筐体に設けた電子機器であればよく、例えば、デジタルカメラ等の撮像装置に対しても本発明を適用することができる。
【００５１】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００５２】
本発明は、撮像部によって撮像された画像を表示する画像表示部を設けた筐体を備え、撮像部の撮像角度を調整する撮像角度調整機構を筐体に設けた電子機器に適用することができる。
【図面の簡単な説明】
【００５３】
【図１】本発明の実施形態を示すものであり、テレビ電話の外観を示す斜視図である。
【図２】上記テレビ電話の正面図である。
【図３】上記テレビ電話の撮像部の光軸方向を説明するための模式的な側面図である。
【図４】上記テレビ電話に設けた撮像角度調整機構の構成を示す斜視図である。
【図５】上記撮像角度調整機構の動作を説明するための模式的な側面図である。
【図６】上記テレビ電話の横置き状態での斜視図である。
【図７】上記テレビ電話の外観を示す背面斜視図である。
【図８】上記テレビ電話の構成を示すブロック図である。
【図９】上記テレビ電話の使用状態を示す斜視図である。
【図１０】従来技術を示すものであり、撮像装置の外観を示す斜視図である。
【符号の説明】
【００５４】
１    テレビ電話（電子機器）
２    筐体
３    表示面
４    底面
５    背面
６    保持穴
７    撮像角度調整機構
８    チルトアングル部材
９    撮像部ホルダ
１０  撮像部
１１  画像表示部
１２  凹部
１３  取っ手（横置き検出手段）
１４  表示反転コントローラ
１５  手動スイッチ
１６  スピーカ
１７  マイクユニット
１８  通信部
１９  バッテリ
２０  無線ＬＡＮルータ
２１  設置面
２２  保持穴
２３、２４  回動軸
Ｊ１  縦方向
Ｊ２  横方向
【図１】
2007081834.tif 000003
【図２】
2007081834.tif 000004
【図３】
2007081834.tif 000005
【図４】
2007081834.tif 000006
【図５】
2007081834.tif 000007
【図６】
2007081834.tif 000008
【図７】
2007081834.tif 000009
【図８】
2007081834.tif 000010
【図９】
2007081834.tif 000011
【図１０】
2007081834.tif 000012